(57)【要約】【課題】毒性を有さずに循環利用水中のレジオネラ菌を不活化するのに適した殺菌剤を利用する循環利用水用設備を提供すること。【解決手段】水酸化カルシウムの飽和溶液である殺菌剤を提供する。排水口１１と給水口１２と送水管と、送水管２に殺菌剤を注入する注入機構３とを備える循環利用水用設備を提供する。循環利用水に対し重量比で０．２％の殺菌剤を注入する循環利用水中のレジオネラ菌の殺菌方法を提供する。【選択図】図１
2020078779.tif 000002
【特許請求の範囲】
【請求項１】
循環利用水を利用箇所から送水管に排水する排水口と、
前記送水管に水酸化カルシウムを注入する注入機構を備えることを特徴とする循環利用水用設備。
【請求項２】
前記送水管は、前記排水口と前記利用箇所に給水する給水口とを接続することを特徴とする、請求項１に記載の循環利用水用設備。
【請求項３】
前記送水管の流量を測定する流量計を備え、
前記注入機構は、前記流量計によって測定された流量に対して飽和濃度となる水酸化カルシウムを注入することを特徴とする、請求項２に記載の循環利用水用設備。
【請求項４】
前記送水管の前記注入機構と前記給水口との間に、前記循環利用水のｐＨを低下させる再生機構を備えることを特徴とする、請求項２又は３に記載の循環水利用設備。
【請求項５】
前記利用箇所が浴槽であり、
前記循環利用水が温泉水であることを特徴とする、請求項２〜４のいずれか１項に記載の循環利用水用設備。
【発明の詳細な説明】
【技術分野】
【０００１】
本発明は、レジオネラ菌を不活化することのできる循環利用水用設備に関する。
【背景技術】
【０００２】
水中に存在するレジオネラ菌による問題が知られている。そこで、例えば特許文献１に開示されたように、レジオネラ菌を不活化する殺菌剤が知られている。
【０００３】
ここで、例えば浴場のように水を循環利用する場合、殺菌剤が毒性を有すると、循環利用に適さないことがある。
【先行技術文献】
【特許文献】
【０００４】
【特許文献１】特開２０１２−２６４２２８号公報
【発明の概要】
【発明が解決しようとする課題】
【０００５】
本発明は、毒性を有さずに循環利用水中のレジオネラ菌を不活化するのに適した殺菌剤を利用する循環利用水用設備を提供することを課題とする。
【課題を解決するための手段】
【０００６】
本発明の循環利用水用設備は、
循環利用水を利用箇所から送水管に排水する排水口と、
前記送水管に水酸化カルシウムを注入する注入機構を備えることを特徴とする。
【０００７】
この特徴によれば、毒性を有さない水酸化カルシウムによってレジオネラ菌を不活化することができる。
【０００８】
本発明の循環利用水用設備は、
前記送水管は、前記排水口と前記利用箇所に給水する給水口とを接続することを特徴とする。
【０００９】
この特徴によれば、排水のレジオネラ菌を不活化して給水し再利用する循環利用水用設備を提供することができる。
【００１０】
本発明の循環利用水用設備は、
前記送水管の流量を測定する流量計を備え、
前記注入機構は、前記流量計によって測定された流量に対して飽和濃度となる水酸化カルシウムを注入することを特徴とする。
【００１１】
この特徴によれば、ちょうど飽和濃度となる水酸化カルシウムを注入するので、高いｐＨ（１２以上）によって、効率的にレジオネラ菌を不活化することができる。また、過剰の水酸化カルシウムを注入しないので、循環利用水への影響が小さい。
【００１２】
本発明の循環利用水用設備は、
前記送水管の前記注入機構と前記給水口との間に、前記循環利用水のｐＨを低下させる再生機構を備えることを特徴とする。
【００１３】
この特徴によれば、強アルカリの水酸化カルシウムを含む循環利用水を中性化することができる。
【００１４】
本発明の循環利用水用設備は、
前記利用箇所が浴槽であり、
前記循環利用水が温泉水、又は温泉水に加水した水であることを特徴とする。
【００１５】
この特徴によれば、温泉の浴槽に利用する水について、排水のレジオネラ菌を不活化して給水する循環利用水用設備を提供することができる。温泉水の有効成分（食塩、硫黄等）との化学反応の少ない水酸化カルシウムを用い、温泉水の有効成分を保ってレジオネラ菌を不活化することができる。
【発明の効果】
【００１６】
本発明によれば、毒性を有さずに循環利用水中のレジオネラ菌を不活化するのに適した殺菌剤（水酸化カルシウム）を利用する循環利用水用設備を提供することができる。
【図面の簡単な説明】
【００１７】
【図１】図１は、循環利用水用設備を示す図である。
【図２】図２は、清水における実験結果を示す図である。
【図３】図３は、汚水における実験結果を示す図である。
【図４】図４は、レジオネラ菌を不活化する廃水処理を示す図である。
【発明を実施するための形態】
【００１８】
以下では、本発明の具体的な実施形態につき、説明する。
【００１９】
図１は、循環利用水用設備を示す図である。循環利用水用設備Ｃは、浴槽１の排水口１１から排水した温泉水を、送水管２を介して給水口１２から再び浴槽１に注入する。温泉水が循環利用水となる。
【００２０】
浴槽１に温泉水（例えば食塩泉水）が入れられ、入浴に用いられる。浴槽１には、排水溝１１及び給水口１２が設けられている。
【００２１】
なお、浴槽１に替えて他の設備（例えばプール）としてもよい。
【００２２】
送水管２には流量計２１、殺菌槽２３及び再生槽２４が設けられている。流量計２１によって流量が測定される。循環利用水は、殺菌槽２３及び再生槽２４おいて、一定時間滞留される。
【００２３】
注入機構３は、水酸化カルシウムである殺菌剤の封入された容器を有し、殺菌剤を殺菌槽２３に注入する。
【００２４】
注入機構３にはバルブ３１が設けられ、制御機構（非図示）がバルブ３１を制御して送水管２への殺菌剤の注入量を調節する。殺菌剤の注入量は、流量計２１によって測定された流量の循環利用水に対して飽和濃度となるようにする。
【００２５】
なお、「飽和濃度」は、厳密に過不足なく循環利用水に対する水酸化カルシウムの溶解量でなくともよい。溶解量は、循環利用水の温度等によって変動するので、殺菌剤の注入量を厳密に制御することは困難である。溶解量に対し５％程度までは多くても少なくてもよい。
【００２６】
なお、使用する水酸化カルシウムについて、入浴施設における再生使用の安全性のために、食品添加物規格に適合するものとすることが好ましい。
【００２７】
再生機構４は、二酸化炭素の封入されたボンベを有し、二酸化炭素を再生槽２４に噴入する。これにより、水酸化カルシウムが炭酸カルシウムとなり、循環利用水のｐＨが低下する（中性に近づく）。また、ｐＨメータ４２を設け、所定のｐＨ（例えば８）以下の循環利用水を給水口１２に送出するようにする。
【００２８】
再生機構４にはバルブ４１が設けられ、制御機構（非図示）がバルブ４１を制御して再生槽２４への二酸化炭素の噴入量を調節する。二酸化炭素の噴入量は、注入された殺菌剤（水酸化カルシウム）が所定時間内に炭酸カルシウムとなるようにする。例えば、１０ｌ／分とする。
【００２９】
１２程度のｐＨとなる水酸化カルシウムの飽和溶液を浴槽１に戻すことは好ましくない。そこで、再生機構によってｐＨを８程度にするものである。なお、循環利用水のｐＨが弱アルカリ性となる点が問題であれば、給水口１２において循環利用水のみでなく温泉水の源泉をも給水して緩和することができる。
【００３０】
再生機構４の構成は、上述に限られない。例えば、二酸化炭素でなく空気を再生槽２４に噴入することでも、所要時間は長くなるが、ｐＨを低下させることができる。
【００３１】
また、温泉水の泉質によっては、酸（例えば酢酸）を注入してｐＨを低下させても温泉の効果が残る場合も考えられる。かかる場合には、酸を注入して短時間でｐＨを低下させることもできる。
【００３２】
殺菌剤としての水酸化カルシウムの効果を、殺菌剤として広く用いられる次亜塩素酸ナトリウムと比較するため、殺菌効果及び時間を実験により測定した。
【００３３】
実験は、以下の手順で行った。殺菌消毒剤としては、（１）１７００ｐｐｍ濃度（飽和）の水酸化カルシウム溶液、（２）１２％濃度の次亜塩素酸ナトリウム溶液を希釈して２００ｐｐｍ濃度とした次亜塩素酸ナトリウム溶液、の２種を準備した。
【００３４】
菌液として、１ｍｌ中に１０８〜１０９の細菌を含み、有機物としての子牛血清を、不添加のもの（清水）、５％添加のもの（汚水）を準備した。
【００３５】
反応停止液として、塩酸と３０％濃度の子牛血清を混合したものを準備した。
【００３６】
４００μｌの殺菌消毒剤に、１００μｌの菌液を加え、１分後、３分後に反応停止液を加える実験を、３回行った。（一部、５分後についても行った）
【００３７】
殺菌消毒剤に菌液を加えると不活化が開始される。そこに反応停止液を加えると、塩酸によって水酸化カルシウムの作用が、子牛血清によって次亜塩素酸ナトリウムの作用が、それぞれ停止する。反応停止液を加えるまでの時間において不活化された細菌の数を測定することができる。
【００３８】
図２及び図３に、実験結果を示す。細菌数は、１ｍｌ当たりの実際の細菌数をｘとするときn=log10ｘの値である。なお、細菌数が2.60未満となると測定不能であるが、その場合にも「2.60」と示した。また、細菌数を測定する意味がなく実験を行わなかったところを「NT」（Not Tested）と示した。
【００３９】
図２は、清水における実験結果を示す図である。水酸化カルシウム溶液は３分で、次亜塩素酸ナトリウム溶液は１分で、十分な不活化がなされている。
【００４０】
図３は、汚水における実験結果を示す図である。水酸化カルシウム溶液は３分で、次亜塩素酸ナトリウム溶液は５分で、十分なされている。
【００４１】
水酸化カルシウム溶液は清水でも汚水でも３分で殺菌するのに対し、次亜塩素酸ナトリウム溶液は汚水の場合に５分の時間を要する。清水でも汚水でも短時間で不活化できることが好ましい。不活化する間の循環利用水を保持するために殺菌層２３を大きくすることが困難であるためである。
【００４２】
以上の実験結果によれば、殺菌層２３を３分間分の流量（流量が変化し得るので最大流量）に相当する容量とすれば、確実に殺菌することができることがわかる。
【００４３】
なお、殺菌層２３の容量は、３分間分の流量でなくともよい。循環利用水の清濁等に応じて、確実に不活化するために必要な時間が変動するので、その時間に対応して設計することができる。
【００４４】
以上詳細に説明したように、本発明の殺菌剤は、汚水についても短時間でレジオネラ菌を不活化することができる。また、殺菌剤を加えた循環利用水を再利用しても、毒性については、水酸化カルシウムが食品添加物として認められていることに鑑み、問題がない。
【００４５】
なお、アルカリ性の泉質を有する温泉では、次亜塩素酸等の酸性の殺菌剤の効果が低下してします。本発明の殺菌剤は、アルカリ性の泉質を有する温泉において有効である。
【００４６】
なお、循環利用水が温泉水であるとして説明したが、本発明の適用範囲はこれに限られない。例えば、温泉水でない水を利用した浴場に用いることもできる。また、金魚等を泳がせる水槽に適用することや、流水を視覚的に楽しむインテリアに用いることもできる。さらに、工業排水を循環利用する場合に本発明の殺菌剤を活用してもよい。
【００４７】
さらに、循環利用せずに下水に排水する水に本発明を適用して不活化することもできる。吸水口１２に替えて、下水に排水するものである。その場合、再生機構４を省略しても排水が下水で希釈されてｐＨが低下するので問題ない。（図４参照）
【産業上の利用可能性】
【００４８】
毒性を有さずに循環利用水中のレジオネラ菌を不活化するのに適した殺菌剤を用いて、循環利用水の品質を保ちつつレジオネラ菌を不活化する循環利用水用設備である。多くの循環水利用施設、特に浴場における利用が考えられる。
【符号の説明】
【００４９】
Ｃ      循環利用水用設備
１      浴槽
１１    排水口
１２    給水口
２      送水管
２１    流量計
２３    殺菌槽
２４    再生槽
３      注入機構
３１    バルブ
４      再生機構
４１    バルブ
４２    ｐＨメータ
【図１】
2020078779.tif 000003
【図２】
2020078779.tif 000004
【図３】
2020078779.tif 000005
【図４】
2020078779.tif 000006